(57)【要約】【課題】段ボール製のメリットを維持しつつ、マネキン人形等の造形物表面に彩色を施したり、図形や文字を印刷したりすることにより、審美性を向上させることができる造形物形成方法および造形物を提供する。【解決手段】マネキン人形１は、複数のパーツ２１〜４０を組み合わせることによって形成される造形物である。各パーツは、一枚の段ボールから切り出された型紙を折り曲げて形成され、三角形や四角形など多角形を含む平面から構成される多面構造である。多面構造に係る特徴により、人体の曲面を擬制できる。さらに、段ボール表面に彩色や印刷ができる。特に、矩形状かつ板状の段ボールの段階(例えば工場出荷段階)で彩色や印刷をする場合、彩色や印刷を容易に実現できる。【選択図】図１
2014030644.tif 000002
【特許請求の範囲】
【請求項１】
一枚の段ボールからパーツの型紙を切り出す型紙切り出し工程と、
該切り出した型紙を折り曲げて、多角形を含む平面から構成される多面構造を形成する多面構造形成工程と、
該多面構造からなるパーツを複数形成する複数パーツ形成工程と、
一の型紙に設けられた舌片部を他の型紙に設けられた差し込み穴に差し込むことにより、該複数のパーツを組み合わせるパーツ組み合わせ工程
を備えることを特徴とする造形物形成方法。
【請求項２】
前記造形物は切欠溝を有する芯部材を有し、
前記パーツ組み合わせ工程では、前記型紙に設けられた切欠溝を前記芯部材の切欠溝に嵌合させる
ことを特徴とする請求項１記載の造形物形成方法。
【請求項３】
前記型紙切出工程では、型紙裏面に切り込み罫線を形成し、
前記多面構造形成工程では、該切り込み罫線が谷側になるように型紙を折り曲げる
ことを特徴とする請求項１〜２のいずれかに記載造形物形成方法。
【請求項４】
前記造形物はマネキン人形であり、
前記複数のパーツは、首部と胸部と背部と腹部と下腹部と腰部とを含む
ことを特徴とする請求項１〜３のいずれかに記載の造形物形成方法。
【請求項５】
前記造形物は動物玩具であり、
前記複数のパーツは、頭部と背部と腹部と前脚部と後脚部とを含む
ことを特徴とする請求項１〜３のいずれかに記載の造形物形成方法。
【請求項６】
前記切り出し工程の前に、該一枚の段ボール表面を彩色する彩色工程
を備えることを特徴とする請求項１〜５のいずれかに記載の造形物形成方法。
【請求項７】
前記切り出し工程の前に、該一枚の段ボールに印刷対象を印刷する印刷工程
を備えることを特徴とする請求項１〜５のいずれかに記載の造形物形成方法。
【請求項８】
複数のパーツを組み合わせることによって形成される造形物であって、
前記パーツは、
一枚の段ボールから切り出された型紙を折り曲げて形成され、多角形を含む平面から構成される多面構造であり、
舌片部と他パーツの舌片部を差し込むための差し込み穴とを有する
ことを特徴とする造形物。
【発明の詳細な説明】
【技術分野】
【０００１】
本発明は造形物形成方法および造形物に関する。特に、段ボールにより形成されたマネキン人形や動物玩具等の造形物に関する。
【背景技術】
【０００２】
従来、服をディスプレイするためのマネキン人形等は、合成樹脂により形成されることが多い。ところが、合成樹脂製のマネキン人形は、一般に、体積が大きく、重量が重く、運搬、保管、廃棄の際に、手間とコストがかかる問題があった。
【０００３】
一方、着衣状態を再現するため、人体形状を忠実に再現する必要があった。しかし、近年は、マネキン人形の首にネクタイを巻いただけのほうが、ネクタイの美観をより引き立たせることができる場合もあり、マネキン人形自体の美観も考慮されるようになった。さらに、シャツなどを着衣しないマネキン人形を審美対象としてディスプレイすることもある。
【０００４】
ところで、段ボールは、物資を梱包する段ボール箱として用いられることが一般的であるが、強靭性や軽量性といった特徴を生かして他の用途も検討されている。
【０００５】
このような、状況を踏まえて、段ボール製のマネキン人形（トルソー）が提案されている（たとえば、特許文献１，２）。
【０００６】
特許文献１記載の段ボール製マネキン人形は、切欠溝を有する水平板と縦型板とを複数組み合わせることにより、人体形状を形成するものである。特許文献２記載の段ボール製マネキン人形は、スライス状の型板を積層し固定することにより、人体形状を形成するものである。
【０００７】
段ボール製であることから、一定の強度を確保しつつ、マネキン人形を造形できる。さらに、段ボール製であることにより、重量が軽く、現地で組み立て可能であることにより、分解した状態では体積が小さく、運搬、保管、廃棄の際の手間とコストに係る問題を解決できる。
【先行技術文献】
【特許文献】
【０００８】
【特許文献１】特許第４２９９２５０号公報
【特許文献２】特開２０００−３００４０７号公報
【発明の概要】
【発明が解決しようとする課題】
【０００９】
従来技術に係る段ボール製マネキン人形では以下のような課題がある。
【００１０】
従来技術は、人体形状を忠実に再現するという先入観に拘束されており、マネキン人形表面を表現するという発想はない。特許文献１の段ボール製マネキン人形では、水平板間、縦型板間に空間が形成され、仮想的な表面を形成している。特許文献２の段ボール製マネキン人形では、積層された型板の端面が、疑似的な表面を形成している。つまり、従来技術には、マネキン人形表面が存在しない。また、特許文献２の段ボール製マネキン人形は接着剤を用いるため、造形物形成時、解体時に手間が掛かる。
【００１１】
ところで、上述のとおり、最近では、マネキン人形自体が審美対象となり得る。従来技術には、マネキン人形表面が存在しないため、表面に彩色を施したり、図形や文字を印刷したりすることができない。その結果、形状以外の表現方法がなく、更に審美性を向上させることができない。
【００１２】
本発明は上記課題を解決するものであり、段ボール製のメリットを維持しつつ、マネキン人形等の造形物表面に彩色を施したり、図形や文字を印刷したりすることにより、審美性を向上させることを目的とする。
【課題を解決するための手段】
【００１３】
上記課題を解決する本願発明は、段ボール製造形物の形成方法であって、一枚の段ボールからパーツの型紙を切り出す型紙切り出し工程と、該切り出した型紙を折り曲げて、多角形を含む平面から構成される多面構造を形成する多面構造形成工程と、該多面構造からなるパーツを複数形成する複数パーツ形成工程と、一の型紙に設けられた舌片部を他の型紙に設けられた差し込み穴に差し込むことにより、該複数のパーツを組み合わせるパーツ組み合わせ工程を備えることを特徴とする。
【００１４】
多面構造により、造形対象の曲面を擬制できる。さらに、表面に彩色や印刷ができる。舌片部と差し込み穴との舌片差込構造を用いることにより、接着剤などを用いず、容易に造形物を形成できる。
【００１５】
本願発明において好ましくは、前記造形物は切欠溝を有する芯部材を有し、前記パーツ組み合わせ工程では、前記型紙に設けられた切欠溝を前記芯部材の切欠溝に嵌合させる。
【００１６】
切欠溝嵌合により、舌片差込構造を補助することで、より強靭な造形物を形成できる。
【００１７】
本願発明において好ましくは、前記型紙切出工程では、型紙裏面に切り込み罫線を形成し、前記多面構造形成工程では、該切り込み罫線が谷側になるように型紙を折り曲げる。
【００１８】
一般に段ボールは厚みを有し剛性が高いため、精度よく折り曲げるのが難しい。切り込み罫線により、折り曲げ谷側線で生じる干渉を吸収することができる。これにより、精度よく多面構造を形成することができる。
【００１９】
本願発明において好ましくは、前記造形物はマネキン人形であり、前記複数のパーツは、首部と胸部と背部と腹部と下腹部と腰部とを含む。
【００２０】
本願発明において好ましくは、前記造形物は動物玩具であり、前記複数のパーツは、頭部と背部と腹部と前脚部と後脚部とを含む。
【００２１】
これにより、マネキン人形や動物玩具のような造形物を形成できる。
【００２２】
本願発明において好ましくは、前記切り出し工程の前に、該一枚の段ボール表面を彩色する彩色工程を備える。
【００２３】
本願発明において好ましくは、前記切り出し工程の前に、該一枚の段ボールに印刷対象を印刷する印刷工程を備える。
【００２４】
すなわち、矩形状かつ板状の段ボールの段階で彩色や印刷をすることで、彩色や印刷を容易に実現できる。工場出荷段階では、彩色工程や印刷工程および型紙切り出し工程は完了しており、店頭や展示会場では、多面構造形成工程、複数パーツ形成工程、パーツ組み合わせ工程を実施すればよく、短時間で容易に審美性の高い造形物を形成できる。
【００２５】
上記課題を解決する本願発明は、複数のパーツを組み合わせることによって形成される段ボール製の造形物であって、前記パーツは、一枚の段ボールから切り出された型紙を折り曲げて形成され、多角形を含む平面から構成される多面構造であり、舌片部と他パーツの舌片部を差し込むための差し込み穴とを有する。
【発明の効果】
【００２６】
本願発明によれば、段ボール製のメリットを維持しつつ、マネキン人形等の造形物表面に彩色を施したり、図形や文字を印刷したりすることにより、審美性を向上させることができる。
【図面の簡単な説明】
【００２７】
【図１】マネキン人形（男性）の全体斜視図（第１実施形態）
【図２】芯部を構成する芯部材の分解斜視図
【図３】芯部およびパーツの分解斜視図
【図４】切欠溝嵌合構造の概略斜視図
【図５】舌片差込構造の概略斜視図
【図６】使用例
【図７】使用例
【図８】使用例
【図９】マネキン人形（女性）の全体斜視図（第２実施形態）
【図１０】芯部およびパーツの分解斜視図
【図１１】動物玩具の全体斜視図（第３実施形態）
【図１２】芯部およびパーツの分解斜視図
【発明を実施するための形態】
【００２８】
本発明のいくつかの実施形態について図を用いて説明する。第１実施形態は男性マネキン人形に係る造形物であり、第２実施形態は女性マネキン人形に係る造形物であり、第３実施形態は動物玩具に係る造形物であり
【００２９】
＜第１実施形態＞
〜構成〜
図１は、本実施形態のマネキン人形の全体斜視図である。特に男性のマネキン人形を表現したものである。
【００３０】
マネキン人形１は、複数のパーツ２１〜４０（一部のみ図示）を組み合わせることによって形成される造形物である。各パーツは、一枚の段ボールから切り出された型紙を折り曲げて形成され、三角形や四角形など多角形を含む平面から構成される多面構造である。
【００３１】
なお、上記は全パーツが一枚の段ボールから切り出されるという意味ではないが、全パーツが一枚の段ボールから切り出されてもよい。
【００３２】
図２は、芯部１０を構成する芯部材１１〜１５の分解斜視図である。
【００３３】
芯部材１１は、マネキン人形正面から見て、中央に位置する中央芯部材である。芯部材１２は、マネキン人形正面から見て、前側に位置する前側芯部材である。芯部材１３は、マネキン人形正面から見て、後側に位置する後側芯部材である。芯部材１４は、マネキン人形正面から見て、左側に位置する左側芯部材である。芯部材１５は、マネキン人形正面から見て、右側に位置する右側芯部材である。
【００３４】
芯部材１１〜１５には、複数の大切欠溝１６と複数の小切欠溝１７が設けられている。
【００３５】
芯部材１１下側に設けられた大切欠溝と芯部材１２、１３上側に設けられた大切欠溝とが嵌合され、芯部材１２、１３下側に設けられた大切欠溝と芯部材１４、１５上側に設けられた大切欠溝とが嵌合されることにより、芯部１０が形成される。
【００３６】
図３は、芯部１０およびパーツ２１〜４０の分解斜視図である。
【００３７】
パーツ２１は首部であり、パーツ２２は胸部であり、パーツ２３は腹部であり、パーツ２４は下腹部であり、パーツ２５は上背部であり、パーツ２６は中背部であり、パーツ２７は下背部であり、パーツ２８は腰部であり、パーツ３１は左肩部であり、パーツ３２は左横腹上部であり、パーツ３３は左横腹中部であり、パーツ３４は左横腹下部であり、パーツ３５は左横腰部であり、パーツ３６は右肩部であり、パーツ３７は右横腹上部であり、パーツ３８は右横腹中部であり、パーツ３９は右横腹下部であり、パーツ４０は右横腰部である。
【００３８】
パーツ２１〜４０は、複数の舌片部４１，差し込み穴４２，切欠溝４３を有する。より、正確には、パーツ２１は舌片部４１，切欠溝４３を有し、パーツ２２は舌片部４１，差し込み穴４２，切欠溝４３を有し、パーツ２３は差し込み穴４２，切欠溝４３を有し、パーツ２４は舌片部４１，切欠溝４３を有し、パーツ２５は舌片部４１，差し込み穴４２，切欠溝４３を有し、パーツ２６は舌片部４１，差し込み穴４２，切欠溝４３を有し、パーツ２７は舌片部４１，切欠溝４３を有し、パーツ２８は舌片部４１，切欠溝４３を有し、パーツ３１，３６は舌片部４１，切欠溝４３を有し、パーツ３２，３３，３４、３５，３７，３８，３９，４０は差し込み穴４２，切欠溝４３を有する。更に、パーツ２１〜４０の裏面（マネキン人形形成時に表面とならない面）には、切り込み罫線４４が設けられている。
【００３９】
図４は、切欠溝嵌合構造の概略斜視図である。図５は、舌片差込構造の概略斜視図である。たとえば、パーツ４０に設けられた切欠溝４３は芯部１０に設けられた切欠溝１７の１つに嵌合される。他の切欠溝嵌合構造も同様である。一方、例えば、パーツ３６に設けられた舌片部４１の１つはパーツ２２に設けられた差し込み穴４２の１つに差し込まれる。他の舌片差込構造も同様である。マネキン人形１は、切欠溝嵌合構造および舌片差込構造の繰り返しによって形成される。
【００４０】
〜動作〜
マネキン人形１の形成方法について説明する。一般に、段ボールは矩形状かつ板状に所定のサイズに形成される。まず、段ボールから芯部材１１〜１５およびパーツ２１〜４０の型紙を切り出す。その際、少なくとも１つのパーツを１つの段ボールから切り出す。もちろん、１つの段ボールから複数のパーツを切り出してもよい。切り出した際に、切欠溝１６，１７，舌片部４１，差し込み穴４２，切欠溝４３も形成する（図３参照）。さらに、パーツ２１〜４０の裏面に、切り込み罫線４４を形成する。
【００４１】
芯部材１１〜１５の切欠溝１６同士を嵌合させ、芯部１０を形成する（図２参照）。
【００４２】
さらに、切り込み罫線４４が谷側となるように、型紙を折り曲げる。これを繰り返すことにより、パーツ２１〜４０は、三角形や四角形などから構成される多面構造を形成する。
【００４３】
なお、一般に段ボールは厚みを有し剛性が高いため、精度よく折り曲げるのが難しい。切り込み罫線４４により、折り曲げ谷側線で生じる干渉を吸収することができる。これにより、精度よく多面構造を形成することができる。
【００４４】
多面構造のパーツ２１〜４０に設けられた切欠溝４３を芯部１０に設けられた切欠溝１７に嵌合させる（図４参照）とともに、パーツ２１〜４０に設けられた舌片部４１を別のパーツに設けられた差し込み穴４２に差し込み（図５参照）、パーツ２１〜４０を組み合わせる。
【００４５】
以上のように、マネキン人形１を形成する。
【００４６】
特に、マネキン人形１に彩色を施したり、デザイン図形などを印刷する場合には、矩形状かつ板状の段ボールの段階で彩色や印刷をする方が好ましい。
【００４７】
〜効果〜
従来技術の段ボール製マネキン人形は、人形表面が存在しないため、表面に彩色を施したり、図形や文字を印刷したりすることができない。その結果、表現方法に限界があった。
【００４８】
本実施形態に係るマネキン人形１は、多面構造により形成されているため、表面に彩色や印刷ができる（後述する図６，７参照）。その結果、審美性を向上させることができる。このように、マネキン人形１は、着衣しない状態でも審美対象になり得る。
【００４９】
矩形状かつ板状の段ボールの段階で彩色や印刷をすることで、彩色や印刷を容易に実現できる。工場出荷段階では、彩色工程や印刷工程および型紙切り出し工程は完了しており、店頭や展示会場では、多面構造形成工程、複数パーツ形成工程、パーツ組み合わせ工程を実施すればよく、短時間で容易にマネキン人形１を形成できる。
【００５０】
パーツ組み合わせ工程では、切欠溝嵌合構造および舌片差込構造を用いることにより、店頭や展示会場では、接着剤など不要であり、容易に強靭なマネキン人形１を形成できる。
【００５１】
なお、本実施形態に係るマネキン人形１は、従来技術と同様に、運搬、保管、廃棄の際の手間とコストに係るメリットを維持する。
【００５２】
〜使用例〜
図６は、マネキン人形の使用例である。彩色、印刷が容易であるという特徴により、例えば、マネキン人形の胸部に印字をし、広告用としてディスプレイしてもよい。
【００５３】
図７は、マネキン人形の別の使用例である。若者の間で、タトゥーシールが流行している。彩色、印刷が容易であるという特徴により、例えば、マネキン人形の背部にデザインを印刷し、タトゥーショップの見本として展示してもよい。
【００５４】
図８は、マネキン人形の本来の使用例である。彩色Sを施したマネキン人形の首にループタイを巻いただけのほうが、シャツなどの着衣にループタイを巻いた状態よりも、ループタイの美観をより引き立たせることができる。
【００５５】
＜第２実施形態＞
〜基本構成とその効果〜
図９は、別の実施形態のマネキン人形の全体斜視図である。特に女性のマネキン人形を表現したものである。
【００５６】
マネキン人形２の基本構成は、第１実施形態におけるマネキン人形１の構成と共通する。すなわち、マネキン人形２は、複数のパーツ６１〜８０（一部のみ図示）を組み合わせることによって形成される造形物である。各パーツは、一枚の段ボールから切り出された型紙を折り曲げて形成され、三角形や四角形を含む多角形から構成される多面構造である。
【００５７】
図１０は、芯部５０およびパーツ６１〜８０の分解斜視図である。
【００５８】
芯部材５１〜５５（符号図示省略）には、複数の大切欠溝５６（符号図示省略）と複数の小切欠溝５７が設けられており、大切欠溝５６同士が嵌合されることにより、芯部５０が形成される。
【００５９】
パーツ６１は首部であり、パーツ６２は胸部であり、パーツ６３は腹部であり、パーツ６４は下腹部であり、パーツ６５は上背部であり、パーツ６６は中背部であり、パーツ６８は腰部であり、パーツ７１は左肩部であり、パーツ７２は左横腹上部であり、パーツ７３は左横腹中部であり、パーツ７４は左横腹下部であり、パーツ７５は左横腰部であり、パーツ７６は右肩部であり、パーツ７７は右横腹上部であり、パーツ７８は右横腹中部であり、パーツ７９は右横腹下部であり、パーツ８０は右横腰部である。
【００６０】
パーツ６１〜８０は、複数の舌片部８１，差し込み穴８２，切欠溝８３を有し、裏面には、切り込み罫線８４が設けられている。切欠溝５７と切欠溝８３との切欠溝嵌合構造および舌片部８１と差し込み穴８２との舌片差込構造の繰り返しによって、マネキン人形２は形成される。
【００６１】
マネキン人形２の基本構成は、第１実施形態におけるマネキン人形１の構成と共通するため、第１実施形態で述べた効果と同様な効果が得られる。
【００６２】
〜詳細構成の相違とその効果〜
男性マネキン人形１と女性マネキン人形２とでは、細部において以下のような構成の相違がある。
【００６３】
マネキン人形１の首部パーツ２１とマネキン人形２の首部パーツ６１とを比較すると、パーツ２１では胸方向に張り出して、喉頭隆起（のど仏）を表現しているのに対し、パーツ６１では極端な張り出しはない。
【００６４】
マネキン人形１の胸部パーツ２２とマネキン人形２の胸部パーツ６２とを比較すると、パーツ２２では肩幅まで連続する大きな平面とこの平面の下方に連続する平面および平面間のなす角度により大胸筋の発達(筋肉量)を表現しているのに対し、パーツ６２では極端に大きな平面はない。
【００６５】
一方、パーツ２２では乳首に相当する点を中心に４つの平面が集まっているのに対し、パーツ６２では乳首に相当する点を中心に６つの平面が集まり、鋭角な角錐を形成しており、これにより乳房の膨らみを表現している。
【００６６】
マネキン人形１の下腹部パーツ２４とマネキン人形２の下腹部パーツ６４とを比較すると、パーツ２４では腰骨の出っ張り（腸骨棘）に相当する点を中心に４つの平面が集まっているのに対し、パーツ６４では腸骨棘に相当する点を中心に５つの平面が集まり、鋭角な角錐を形成しており、これにより骨盤の発達を表現している。
【００６７】
マネキン人形１の肩部パーツ３１，３６とマネキン人形２の肩部パーツ７１，７６とを比較すると、パーツ３１，３６は、他の横パーツ３２，〜３５，３７〜４０に比べて著しく幅広であり、三角筋の発達を表現しているのに対し、パーツ７１，７６は、他の横パーツ７２，〜７５，７７〜８０に比べて特段幅広ではない。
【００６８】
マネキン人形１の腰部パーツ２８とマネキン人形２の腰部パーツ６８とを比較すると、パーツ２８では１１平面にて、大殿筋および中臀筋の発達(ごつごつした感じ)を表現しているのに対し、パーツ２８では９平面にて、とくに最も大きな平面を特徴として女性臀部の丸味を表現している。また、パーツ２８の各平面にくらべてパーツ６８の各平面は大きな平面で形成されおり、女性臀部の丸味を表現している。また、マネキン人形２には、下背部パーツ２７に相当するパーツがなく、比較的大きく少ない平面で、女性臀部の丸味を表現している。
【００６９】
本発明では、多面構造に係る特徴により、多角錐を形成できたり、平面間のなす角度を調整でき、これにより、男性らしさや女性らしさなどの多彩な表現が可能となる。すなわち、多面構造により、人体の曲面を擬制できる。
【００７０】
ところで、例えば主要パーツの１つであるパーツ６２は一つの段ボールから切り出された型紙により形成される。他のパーツも同様である。１つの型紙を折り曲げることにより、三角形や四角形などから構成される多面構造を形成することができる。
【００７１】
なお、複数の型紙を組み合わせてパーツ７２などの主要パーツを形成することも可能であるが、工程が複雑になり、形成精度も劣る。本実施形態の様に、１つの型紙を折り曲げてパーツ６２などの主要パーツを形成することにより、工程が単純になり、精度も勝る。
【００７２】
さらに、切り込み罫線８４における折り曲げにより、形成精度が向上する。
【００７３】
また、パーツ６２のような主要パーツが一つの段ボールから切り出された型紙により形成されることで、デザインや文字の印刷が容易となる。
【００７４】
なお、複数の型紙を組み合わせてパーツ７２などの主要パーツを形成することも可能であるが、デザインや文字も組み合わせになり、印刷精度が劣る。本実施形態の様に、１つの型紙を折り曲げてパーツ６２などの主要パーツを形成することにより、印刷は容易であり、印刷精度も勝る。
【００７５】
＜第３実施形態＞
〜構成〜
第１・２実施形態における造形物はマネキン人形であるが、本発明は他の造形物にも適用可能である。例えば、動物玩具に係る造形物を形成できる。
【００７６】
図１１は、動物玩具の全体斜視図である。特にトリケラトプスを表現したものである。
【００７７】
動物玩具３は、複数のパーツ９１〜９８（一部のみ図示）を組み合わせることによって形成される造形物である。各パーツは、一枚の段ボールから切り出された型紙を折り曲げて形成され、三角形や四角形を含む多角形から構成される多面構造である。
【００７８】
なお、上記は全パーツが一枚の段ボールから切り出されるという意味ではないが、全パーツが一枚の段ボールから切り出されてもよい。
【００７９】
図１２は、パーツ９１〜９８の分解斜視図である。
【００８０】
パーツ９１は頭部であり、パーツ９２は背部であり、パーツ９３は腹部であり、パーツ９４は右前脚部であり、パーツ９５は左前脚部であり、パーツ９６は後脚部であり、パーツ９７は鼻角部であり、パーツ９８は上眼窩角部である。
【００８１】
パーツ９１〜９８は、複数の舌片部１０１，差し込み穴１０２，切欠溝１０３を有する。より、正確には、パーツ９１は舌片部１０１，差し込み穴１０２，切欠溝１０３を有し、パーツ９２は舌片部１０１，差し込み穴１０２を有し、パーツ９３は差し込み穴１０２を有し、パーツ９４，９５は舌片部１０１，差し込み穴１０２を有し、パーツ９６は舌片部１０１，差し込み穴１０２を有し、パーツ９７は切欠溝１０３を有し、パーツ９８は切欠溝１０３を有する。更に、パーツ９１〜９８の裏面（造形物形成時に表面とならない面）には、切り込み罫線１０４が設けられている。
【００８２】
切欠溝嵌合構造および舌片差込構造を繰り返し用いることにより、パーツ９１〜９８を組み合わせ、動物玩具３を形成する。
【００８３】
〜使用例〜
第１・２実施形態では、矩形状かつ板状の段ボールの段階で彩色や印刷する使用例を説明したが、パーツ組み合わせ後に、彩色をしてもよい。本実施形態の動物玩具３は、児童の工作教育に用いられ、児童は、アクリル絵具やポスターカラー等で、思い思いに彩色を施す。動物玩具３は、段ボール製の多面構造であるため、容易に彩色できる。
【符号の説明】
【００８４】
１  マネキン人形（男性）
２  マネキン人形（女性）
３  動物玩具
１０  芯部（第１実施形態）
１１〜１５  芯部材
１６，１７  切欠溝
２１〜２４  前側パーツ
２５〜２８  後側パーツ
３１〜４０  横側パーツ
４１  舌片部
４２  差し込み穴
４３  切欠溝
４４  切り込み罫線
５０  芯部（第２実施形態）
５１〜５５  芯部材
５６，５７  切欠溝
６１〜６４  前側パーツ
６５〜６８  後側パーツ
７１〜８０  横側パーツ
８１  舌片部
８２  差し込み穴
８３  切欠溝
８４  切り込み罫線
９１〜９６  主要パーツ（第３実施形態）
９７〜９８  角パーツ
【図１】
2014030644.tif 000003
【図２】
2014030644.tif 000004
【図３】
2014030644.tif 000005
【図４】
2014030644.tif 000006
【図５】
2014030644.tif 000007
【図６】
2014030644.tif 000008
【図７】
2014030644.tif 000009
【図８】
2014030644.tif 000010
【図９】
2014030644.tif 000011
【図１０】
2014030644.tif 000012
【図１１】
2014030644.tif 000013
【図１２】
2014030644.tif 000014